(57)【特許請求の範囲】
【請求項１】
蓋が脱着自在に取り付けられる蓋枠が装着された点検口を有する立管が接続された既設の配管に、新規設備から流出した排水が前記蓋枠の枠内を介して流入する排水配管構造であって、
前記蓋枠には、前記蓋とは異なる新規取付部材が取り付けられてなり、
前記新規取付部材は、
中空部が貫通状に形成された新規取付部材本体と、
該新規取付部材本体の外周面に配され、該新規取付部材が前記蓋枠に取り付けられた状態で該蓋枠の内周面のうち、前記蓋が取り付けられる部分に嵌合する嵌合部と、
を備え、
該新規取付部材が前記蓋枠に取り付けられた状態で、前記新規取付部材の中空部は上流側と下流側とに各々開口され、該新規取付部材本体の上流側の開口に、前記新規設備側の上流側配管が接続されてなり、
前記蓋枠の内周面における蓋が取り付けられる部分と新規取付部材の嵌合部の下側外周面とが各々対応する形状を有しており、前記蓋枠の内周面における蓋が取り付けられる部分と新規取付部材の嵌合部の下側外周面とが、全周に渡って互いに面接触している
ことを特徴とする排水配管構造。
【請求項２】
蓋が脱着自在に取り付けられる蓋枠が装着された点検口を有する立管が接続された既設の配管に、新規設備から流出した排水が前記蓋枠の枠内を介して流入する排水配管構造であって、
前記蓋枠には、前記蓋とは異なる新規取付部材が取り付けられてなり、
前記新規取付部材は、
中空部が貫通状に形成された新規取付部材本体と、
該新規取付部材本体の外周面に配され、該新規取付部材が前記蓋枠に取り付けられた状態で該蓋枠の内周面のうち、前記蓋が取り付けられる部分に嵌合する嵌合部と、
を備え、
該新規取付部材が前記蓋枠に取り付けられた状態で、前記新規取付部材の中空部は上流側と下流側とに各々開口され、該新規取付部材本体の上流側の開口に、前記新規設備側の上流側配管が接続されてなり、
前記嵌合部には、該嵌合部の外周縁部を切除可能とする切断線部が設けられており、
該切断線部を基準にして外周縁部を切除した嵌合部が、前記蓋枠の内周面に嵌合してなり、
前記蓋枠の内周面における蓋が取り付けられる部分と新規取付部材の嵌合部の下側外周面とが各々対応する形状を有しており、前記蓋枠の内周面における蓋が取り付けられる部分と新規取付部材の嵌合部の下側外周面とが、全周に渡って互いに面接触している
ことを特徴とする排水配管構造。
【請求項３】
前記新規取付部材が前記蓋枠に取り付けられた状態で、前記新規取付部材本体の外周面と、前記蓋枠の内周面との間に、シール部材が弾縮した状態で配置されてなる
請求項１又は請求項２に記載の排水配管構造。
【請求項４】
前記新規取付部材本体の中空部を囲繞する内周面に、該新規取付部材本体の中空部の軸心に向かって突出した段部が形成されており、
さらに前記新規取付部材本体の下流側の開口に、前記立管内に配される下流側配管が接続されてなり、前記上流側配管の下端、及び前記下流側配管の上端が該段部に突き当てられている
請求項１乃至請求項３のいずれか１項に記載の排水配管構造。
【請求項５】
請求項２に記載された前記排水配管構造に用いられる新規取付部材であって、
前記嵌合部の前記切断線部を基準にして外周縁部を切除することにより該嵌合部の外径が変更自在とされてなることを特徴とする新規取付部材。
【請求項６】
請求項１に記載の前記排水配管構造を施工するための排水配管方法であって、
前記蓋枠から蓋を取り外す工程と、
前記蓋を取り外した前記蓋枠に、前記新規取付部材を取り付ける工程と、
前記新規取付部材に、上流側配管を接続する工程と、
を含むことを特徴とする排水配管方法。
【請求項７】
請求項２に記載の前記排水配管構造を施工するための排水配管方法であって、
前記蓋枠から蓋を取り外す工程と、
前記新規取付部材の嵌合部にあって、前記切断線部を基準にして該嵌合部から外周縁部を切除する工程と、
外周縁部を切除した嵌合部を有する前記新規取付部材を、該嵌合部が前記蓋枠の内周面に嵌合するように、該蓋枠に取り付ける工程と、
前記新規取付部材に、上流側配管を接続する工程と、
を含むことを特徴とする排水配管方法。
【発明の詳細な説明】
【技術分野】
【０００１】
本発明は、新たに設けた新規設備から排出される排水を、既設の排水用の配管に導入するための排水配管構造、該排水配管構造に用いられる新規取付部材、及び排水配管方法に関する。
【背景技術】
【０００２】
例えば特許文献１に開示されているように、従来、既設の排水管路には、地上に開口した点検口が設けられていることはよく知られている。さらに、該点検口には、蓋枠が装着された上で蓋が配置され、点検時や清掃時以外は蓋によって該点検口が閉鎖され、臭気が地上に漏れてしまうことが防止されている。
【０００３】
また、宅内に、一時的に水洗式の簡易トイレを設置する場合がある。また、地震等の災害が発生した際に、公園等の施設に一時的に仮設トイレを設置する場合もある。
【先行技術文献】
【特許文献】
【０００４】
【特許文献１】特開２０１３−０２３８２５号公報
【発明の概要】
【発明が解決しようとする課題】
【０００５】
しかしながら、簡易トイレや仮設トイレ等のような新たに設けた新規設備の汚水を処理する手法は種々検討されうるものの、費用が嵩んだり、汚水を処理する装置の設置に時間がかかったりするなどの問題がある。また、仮設トイレ等の新規設備は、その特性上、役割を果たした後に設備そのものが撤去されることが多く、簡単に元の状態に復帰させることができる構成が求められる。
【０００６】
そこで本発明は、新規設備の設置に際し、新規設備からの排水を既設の排水配管に容易に導入でき、さらに当該新規設備を撤去する際にも最小限の手間をかけるだけで元の構造に復帰させることができる排水配管構造、該排水配管構造に用いられる新規取付部材、及び排水配管方法を提供することを目的とする。
【課題を解決するための手段】
【０００７】
本発明は、蓋が脱着自在に取り付けられる蓋枠が装着された点検口を有する立管が接続された既設の配管に、新規設備から流出した排水が前記蓋枠の枠内を介して流入する排水配管構造であって、 前記蓋枠には、前記蓋とは異なる新規取付部材が取り付けられてなり、  前記新規取付部材は、中空部が貫通状に形成された新規取付部材本体と、該新規取付部材本体の外周面に配され、該新規取付部材が前記蓋枠に取り付けられた状態で該蓋枠の内周面のうち、前記蓋が取り付けられる部分に嵌合する嵌合部と、を備え、該新規取付部材が前記蓋枠に取り付けられた状態で、前記新規取付部材の中空部は上流側と下流側とに各々開口され、該新規取付部材本体の上流側の開口に、前記新規設備側の上流側配管が接続されてなり、前記蓋枠の内周面における蓋が取り付けられる部分と新規取付部材の嵌合部の下側外周面とが各々対応する形状を有しており、前記蓋枠の内周面における蓋が取り付けられる部分と新規取付部材の嵌合部の下側外周面とが、全周に渡って互いに面接触していることを特徴とする排水配管構造である。
【０００８】
かかる構成にあっては、新規設備から流出した排水は、前記新規取付部材を通って既設の配管内に案内される。したがって、既設の配管周囲の地面を改めて掘削することなく新規設備の排水処理を行うことができ、施工時間やコストの大幅な低減が可能となる。勿論、仮に新規設備を撤去する場合には、不要となった排水管を前記新規取付部材と共に撤去し、かつ、前記点検口に穴のない蓋を取り付ければよいため、最小限の手間をかけるだけで元の構造に容易に回復させることができる。なお、本発明における新規設備には、ポータブルトイレ、仮設トイレ、あるいは仮設住宅に備えられた雨水排水設備等が含まれ、要は、排水を下水本管にまで導く必要がある新規に設置された排水設備が該当する。
【０００９】
ここで、実際に施工されている既設の配管にあっては、種々の寸法や内周面形状の蓋枠が使用されており、例えば仮設トイレ等の新規設備を設置するにあたり、設置箇所に近い位置に既設されている蓋枠に対して、取り付けようとする新規取付部材の嵌合部が該蓋枠に適切に合致するものであるか否かの確認を要することが想定される。特に新規設備を設置する際は緊急を要する場合もあり、新規取付部材の嵌合部の寸法形状が、取り付けようとする蓋枠の寸法形状と異なる場合にも迅速に施工できることが望まれる。
【００１０】
そこで、蓋が脱着自在に取り付けられる蓋枠が装着された点検口を有する立管が接続された既設の配管に、新規設備から流出した排水が前記蓋枠の枠内を介して流入する排水配管構造であって、前記蓋枠には、前記蓋とは異なる新規取付部材が取り付けられてなり、  前記新規取付部材は、中空部が貫通状に形成された新規取付部材本体と、該新規取付部材本体の外周面に配され、該新規取付部材が前記蓋枠に取り付けられた状態で該蓋枠の内周面のうち、前記蓋が取り付けられる部分に嵌合する嵌合部と、を備え、該新規取付部材が前記蓋枠に取り付けられた状態で、前記新規取付部材の中空部は上流側と下流側とに各々開口され、該新規取付部材本体の上流側の開口に、前記新規設備側の上流側配管が接続されてなり、前記嵌合部には、該嵌合部の外周縁部を切除可能とする切断線部が設けられており、該切断線部を基準にして外周縁部を切除した嵌合部が、前記蓋枠の内周面に嵌合してなり、前記蓋枠の内周面における蓋が取り付けられる部分と新規取付部材の嵌合部の下側外周面とが各々対応する形状を有しており、前記蓋枠の内周面における蓋が取り付けられる部分と新規取付部材の嵌合部の下側外周面とが、全周に渡って互いに面接触していることを特徴とする排水配管構造が提案される。
【００１１】
かかる構成とすることにより、例えば前記新規取付部材を取り付けようとする蓋枠について、内周面形状の異なる蓋枠が用いられている場合であっても、異種の蓋枠に適するようにあらかじめ形成されている前記切断線部を基準にして外周縁部を切除することにより、該蓋枠の内周面形状に合わせた新規取付部材とすることができるため、あらかじめ多数種類の新規取付部材を用意しておく必要が無くなる。
【００１２】
さらに、前記新規取付部材が前記蓋枠に取り付けられた状態で、前記新規取付部材本体の外周面と、前記蓋枠の内周面との間に、シール部材が弾縮した状態で配置されてなることが望ましい。
【００１３】
かかる構成とすることにより、前記蓋枠と前記新規取付部材との間から既設配管内の臭気が外部に漏出することを防止することができる。また、既設の蓋枠の内部構造と、新たに取り付ける新規取付部材の嵌合部形状が一致しない場合には、相互の間に生じる若干の隙間を、前記シール部材により閉塞することが可能となる。
【００１４】
また、前記新規取付部材本体の中空部を囲繞する内周面に、該新規取付部材本体の中空部の軸心に向かって突出した段部が形成されており、さらに前記新規取付部材本体の下流側の開口に、前記立管内に配される下流側配管が接続されてなり、前記上流側配管の下端、及び前記下流側配管の上端が該段部に突き当てられていることが望ましい。
【００１５】
かかる構成にあっては、前記段部によって前記上流側配管と前記下流側配管とが互いに直接突き当てられることが防止されるため、配管施工時に該上流側配管又は該下流側配管が他方の配管に押し出されて該新規取付部材から脱落してしまうことを防止することができる。また、下流側配管が設けられていると、新規設備からの排水が、立管の内壁面に飛散して該内壁面を汚してしまう、ということが可及的に抑制される。このため、点検口の衛生環境が好適に維持される。
【００１６】
また本発明は、前記排水配管構造に用いられる新規取付部材であって、前記嵌合部の前記切断線部を基準にして外周縁部を切除することにより該嵌合部の外径が変更自在とされてなることを特徴とする新規取付部材である。
【００１７】
かかる構成にあっては、異種の蓋枠に対して、一種の新規取付部材を用いて前記排水配管構造を配設することができる。
【００１８】
さらに本発明は、前記排水配管構造を施工するための排水配管方法であって、前記蓋枠から蓋を取り外す工程と、前記蓋を取り外した前記蓋枠に、前記新規取付部材を取り付ける工程と、前記新規取付部材に、上流側配管を接続する工程と、を含むことを特徴とする排水配管方法である。
【００１９】
かかる構成にあっては、緊急に新規設備を設置することになったとしても、前記排水配管構造を迅速に配設することができる。
【００２０】
また、本発明は、前記排水配管構造を施工するための排水配管方法であって、前記蓋枠から蓋を取り外す工程と、前記新規取付部材の嵌合部にあって、前記切断線部を基準にして該嵌合部から外周縁部を切除する工程と、外周縁部を切除した嵌合部を有する前記新規取付部材を、該嵌合部が前記蓋枠の内周面に嵌合するように、該蓋枠に取り付ける工程と、前記新規取付部材に、上流側配管を接続する工程と、を含むことを特徴とする排水配管方法である。
【００２１】
かかる構成にあっては、前記蓋枠の内周面形状に合わせて前記嵌合部の外周縁部を切除した前記新規取付部材を該蓋枠に取り付けることで、該蓋枠の内周面形状に関わらず１種の新規取付部材で複数種の蓋枠に対応した排水配管方法を提供することができる。
【発明の効果】
【００２２】
本発明の排水配管構造は、新規設備の設置に際し、新規設備からの排水を既設の排水用の配管に容易に導入でき、さらに当該新規設備を撤去する際にも最小限の手間をかけるだけで元の構造に容易に回復させることができる利点がある。
【００２３】
また、嵌合部に切断線部が設けられた新規取付部材を有する排水配管構造は、蓋枠の内周面形状に合わせた新規取付部材とすることができるため、あらかじめ多数種類の新規取付部材を用意しておく必要が無くなる利点がある。
【００２４】
また、本発明の新規取付部材を用いることで、既設の配管構造に対して前記排水配管構造を構築することができる利点がある。
【００２５】
また、本発明の排水配管方法は、容易に上記排水配管構造を施工することができる利点がある。
【００２６】
また、異なる種の蓋枠に新規取付部材を取り付ける排水配管構造を施工する場合には、新規取付部材の切断線部を基準にして外周縁部を切除することで円滑に作業を行うことができる。
【図面の簡単な説明】
【００２７】
【図１】実施例１の排水配管構造の概略図である。
【図２】実施例１の排水配管構造の要部を拡大して示す拡大縦断面図である。
【図３】実施例１の継手を示し、（ａ）は平面図、（ｂ）は正面図、（ｃ）は底面図、（ｄ）は縦断面図、（ｅ）は切断線部によってフランジ部の外周縁部を切除した継手の縦断面図である。
【図４】排水配管方法の手順を説明する説明図である。
【図５】図４から続く、排水配管方法の手順を説明する説明図である。
【図６】実施例１の他の排水配管構造の要部を拡大して示す拡大縦断面図である。
【図７】実施例２の継手を示し、（ａ）は平面図、（ｂ）は正面図、（ｃ）は底面図、（ｄ）は縦断面図である。
【発明を実施するための形態】
【００２８】
以下、本発明の排水配管構造、該排水配管構造に用いられる新規取付部材、及び排水配管方法を具体化した実施例を詳細に説明する。なお、本発明は、下記に示す実施例に限定されることはなく、適宜設計変更が可能である。
【００２９】
〔実施例１〕
図１に示すように、新規設備としてのポータブルトイレ４を既設の建物２内に新しく設置した場合には、該ポータブルトイレ４から排出される排水を、建物２の外の地中に埋設された既設の配管５に導入する排水配管構造１Ａを構築することが提案される。
【００３０】
以下、排水配管構造１Ａについて説明する。
前記ポータブルトイレ４には、汚水を案内する配管１０が接続されており、該配管１０が床部３及び壁部９を介して、屋外に設置される真空排水ユニット１１に接続されている。そしてさらに、該真空排水ユニット１１には、汚水を既設の配管５に案内するための直管１３が接続されている。
【００３１】
一方、図１，図２に示すように、既設の配管５には、立管８が接続されており、該立管８の上端に点検口７Ａが形成されている。さらに、該点検口７Ａには、蓋枠２０Ａが装着されており、該蓋枠２０Ａには、管体を主体とする新規取付部材としての継手３０Ａが取り付けられている。なお、後述するように、前記蓋枠２０Ａは、本来、該蓋枠２０Ａの開口２１Ａを閉塞する蓋６（図４ａ参照）が脱着自在に取り付けられていたものである。
【００３２】
さらに、前記蓋枠２０Ａの内周面と前記継手３０Ａとの間には、シール部材としての円環状のパッキン１５が弾縮状態で配置されている。
【００３３】
そして、前記真空排水ユニット１１に接続された直管１３にエルボ管１４が接続され、該エルボ管１４と前記継手３０Ａの上流側管端とが上流側直管１６によって接続されている。
【００３４】
なお、前記配管１０、前記真空排水ユニット１１、前記直管１３、前記エルボ管１４，及び前記上流側直管１６によって、本発明にかかる上流側配管が構成されている。
【００３５】
さらに前記継手３０Ａの下流側管端には、前記立管８内に配置された下流側直管１７が接続されている。そして、該下流側直管１７の下端は、前記立管８の下端部近傍に配置されている。
【００３６】
なお、前記下流側直管１７により、本発明の下流側配管が構成されている。
【００３７】
上記構成により、前記ポータブルトイレ４から流出した排水は、前記上流側直管１６を通って前記継手３０Ａ内に案内され、前記下流側直管１７の下流側の管口から既設の配管５内に導入される。なお、前記配管５には、立管８が接続される既設の排水ますや、該排水ますに接続されている既設の管材が含まれる。
【００３８】
次に、前記継手３０Ａについてさらに詳述する。
前記継手３０Ａは、図３（ａ），（ｂ），（ｃ），（ｄ）に示すように、管状で中空部が貫通状に形成された新規取付部材本体としての継手本体３５と、該継手本体３５の上端において、該継手本体３５の外周面に形成された嵌合部としてのフランジ部３１と、を備えている。
【００３９】
前記継手本体３５の内周面には、該継手本体３５の中空部の軸心に向かって突出し、かつ該軸心周りに周状に形成された段部３８が設けられている。そして、該段部３８の上側（前記フランジ部３１側）には、図２に示したように、前記上流側直管１６の下端１６ａが突き当てられる。これに対し、該段部３８の下側には、前記下流側直管１７の上端１７ａが突き当てられる。このように下流側直管１７が設けられていると、排水が立管８の内壁面に飛散して該内壁面を汚してしまう、ということが可及的に抑制され、点検口７Ａの衛生環境が好適に維持される。
【００４０】
さらに、前記継手本体３５において、前記段部３８より上流側の内周面にあっては、前記段部３８に向かって内径が縮径した上流側テーパー部４１が設けられている。一方、前記段部３８より下流側の内周面にあっては、前記段部３８に向かって内径が縮径した下流側テーパー部４２が設けられている。かかる構成により、管の接続が容易となっている。
【００４１】
また、前記フランジ部３１の外周面であって、前記継手３０Ａの上端面となる上面３６は、平坦形状とされており、該上面３６には溝形状の切断線部３７が前記軸線を中心として周状に設けられている。なお、該切断線部３７については後述する。
【００４２】
さらに、前記フランジ部３１の下側外周面３２は、前記蓋枠２０Ａの内周面２２Ａの蓋６が取り付けられる部分の形状に対応するように、上側に向かって拡径するテーパー形状をなしている。
【００４３】
次に、排水配管構造１Ａの施工手順を図４，図５に従って説明する。
新規設備としてのポータブルトイレ４が設置される前は、図４（ａ）に示すように、既設の配管５の点検口７Ａは蓋枠２０Ａに脱着自在に取り付けられた蓋６によって完全に遮蔽されている。そして、ポータブルトイレ４を新規に設置することに伴い、該蓋６を蓋枠２０Ａから取り外す（工程１）。
【００４４】
次に、図４（ｂ）に示すように、前記蓋枠２０Ａに対応する継手３０Ａの下端の開口に、下流側直管１７を接続する（工程２）。このとき、該継手３０Ａの段部３８に該下流側直管１７の上端１７ａが突き当るまで該下流側直管１７を該継手３０Ａ内に挿入する。なお、該継手３０Ａと該下流側直管１７とは接着剤等で接合してもよい。
【００４５】
そして、図５（ａ）に示すように、前記蓋６が取り外された蓋枠２０Ａに、前記下流側直管１７が接続された前記継手３０Ａを取り付ける（工程３）。このとき、事前に該継手３０Ａの継手本体３５に前記パッキン１５を取り付けておく。該パッキン１５によって該継手３０Ａの外周面と該蓋枠２０Ａの内周面との隙間を無くし、配管５内の臭気を外部に漏出することを抑制することができる。また、該蓋枠２０Ａの内周面２２Ａにおける蓋６が取り付けられる部分と該継手３０Ａの下側外周面３２とが各々対応する形状を有しているので、がたつきなく相互を適嵌させることができる。ただし、パッキン１５は、現場で取り付ける必要はなく、例えば事前に工場等で継手３０Ａに装着しておいてもよい。
【００４６】
さらに、図５（ｂ）に示すように、前記継手３０Ａの上端の開口に、エルボ管１４が接続された上流側直管１６を接続する（工程４）。このとき、該継手３０Ａの段部３８に該上流側直管１６の下端１６ａが突き当るまで該上流側直管１６を該継手３０Ａ内に挿入する。このように、前記段部３８によって前記上流側直管１６と前記下流側直管１７とが互いに直接突き当てられることが防止されているため、該上流側直管１６又は該下流側直管１７が他方の直管に押し出されて該継手３０Ａから脱落してしまうことがない。なお、該継手３０Ａと該上流側直管１６とは、接着剤等で接合してもよい。また、該継手３０Ａに該上流側直管１６を接続した後に該上流側直管１６にエルボ管１４を接続してもよい。
【００４７】
そして、上述した工程１〜４により、図２に示すような排水配管構造１Ａが構築される。
【００４８】
これまでに述べた、工程１から工程４を含む排水配管方法は、ポータブルトイレ４を設置するために点検口７Ａ周囲の地面を掘削したり、建物２の周囲のコンクリート等を剥がしたりする等の工程が不要となるため、施工時間やコストの大幅な低減が可能となる。また、仮にポータブルトイレ４が不要となって排水配管構造１Ａを撤去することになったとしても、再度地面を掘削する必要もなく、不要となった継手３０Ａ等を取り除いた後、元の蓋６を取り付け直せば、元の構造に容易に回復することができる。なお、各管材の取付順序は、施工現場の状況によって適宜変更することが可能である。また、各管材を使用する際には、施工現場の状況に応じて当該施工現場で適正な長さに切断して使用することができる。また、例えばエルボ管１４と継手３０Ａとを直接接続するようにしてもよい。
【００４９】
ところで、ポータブルトイレ４の汚水を排水するための排水配管構造１Ａを構築しようとする際にあっては、排水を導入しようとする点検口７Ａに装着された蓋枠２０Ａに対して、準備した継手３０Ａをそのまま使用することができない場合がある。以下、蓋枠２０Ａとは形状が異なる蓋枠２０Ｂに、前記継手３０Ａを使用して構築しようとする排水配管構造１Ｂについて説明する。
【００５０】
図６に示すように、蓋枠２０Ｂは、蓋枠２０Ａと異なり、略垂直な内周面２２Ｂを有している。
【００５１】
かかる場合に、前記継手３０Ａにあっては、サンダー等の工具を使用して、前記切断線部３７に沿ってフランジ部３１の外周縁部を切除する。そして、図３（ｅ）に示すような、該フランジ部３１の下側外周面３２を、前記蓋枠２０Ｂの内周面２２Ｂに対応した下側外周面３３を形成する。このように、前記継手３０Ａは、フランジ部３１の外周縁部を切除することで該フランジ部３１の外径Ｄ１（図３ｄ参照）を、それよりも径小な外径Ｄ２に変更することが可能となっている。かかる構成とすることにより、該継手３０Ａを、該蓋枠２０Ｂに適切に取り付けて排水配管構造１Ｂを構築することができる。
【００５２】
なお、前記蓋枠２０Ｂが用いられている排水配管構造１Ｂを構築する場合は、前記継手３０Ａの前記フランジ部３１から外周縁部を切除する工程を、蓋枠２０Ｂに継手３０Ａを取り付ける前に実行すればよい。
【００５３】
かかる構成とすることにより、例えば排水を導入しようとする既設の配管５に、蓋枠２０Ａとは内周面形状の異なる蓋枠２０Ｂが採用されていても、蓋枠２０Ｂに適するようにあらかじめ形成されている前記切断線部３７を基準にしてフランジ部３１の外周縁部を切除することにより、該蓋枠２０Ｂの内周面形状に合わせた継手３０Ａとすることができるため、あらかじめ多数種類の継手を用意しておく必要が無くなる。特に、新規設備を設置する際は緊急を要する場合もあり、迅速に施工できる構成が望まれる。
【００５４】
また、これまでに述べた実施例にあって、前記切断線部３７の形状は溝形状に限定されることがなく、切除される部分を示す指標が表示されているものであってもよい。また、継手３０Ａのフランジ部３１の外形は円板状に限定されず、蓋枠２０Ａ，２０Ｂに合わせて他の形状の外形であっても勿論よい。また、継手３０Ａに対して切断線部３７が単数設けられていてもよいし、複数設けられていてもよい。
【００５５】
また、パッキン１５の配設位置は、上記構成の位置に限定されることはなく、適宜変更することが可能である。また、排水配管構造１Ａ，１Ｂを構成する管材は、塩化ビニル製のものが好適に採用可能であるが、特に限定されるものではなく、ホース等が代用されてもよい。また、前記下流側直管１７の下端は、既設の配管５の下端近傍まで配置されることが望ましいが、かかる構成に限定されるものではない。
【００５６】
〔実施例２〕
図７に従って、実施例２にかかる継手３０Ｂを説明する。なお、上記実施例１と同様の構成であるものは、同じ符号を付し、また説明を簡略するものとする。
【００５７】
本実施例にかかる継手３０Ｂにあっては、前記継手３０Ａとは異なり切断線部３７が設けられていない。該継手３０Ｂにあっては、フランジ部３１がそのまま適嵌する蓋枠２０Ａが適用されていることが明らかな場合に、排水配管構造１Ａを迅速に構築することができる。
【００５８】
これまでに述べた排水配管構造１Ａ，１Ｂは、排水ます、又は雨水ます等にも勿論適用可能である。
【００５９】
また、新規取付部材として、継手３０Ａを例示して説明したが、新規取付部材としては、板形状の蓋体であってもよい。例えば、前記蓋体の中央に穴が開口しており、前記穴に上流側直管１６が接続される構成でもよい。なお、かかる場合には、前記蓋体の外周部が嵌合部に相当し、該外周部に切断線部３７が設けられていてもよい。
【符号の説明】
【００６０】
１Ａ，１Ｂ                排水配管構造
４                        ポータブルトイレ（新規設備）
５                        配管
６                        蓋
７Ａ，７Ｂ                点検口
８                        立管
１５                      パッキン（シール部材）
１６                      上流側直管（上流側配管）
１７                      下流側直管（下流側配管）
２０Ａ，２０Ｂ            蓋枠
２２Ａ，２２Ｂ            内周面
３０Ａ，３０Ｂ            継手（新規取付部材）
３１                      フランジ部（嵌合部）
３５                      継手本体（新規取付部材本体）
３７                      切断線部
３８                      段部
【図１】
0006588796.tif 000002
【図２】
0006588796.tif 000003
【図３】
0006588796.tif 000004
【図４】
0006588796.tif 000005
【図５】
0006588796.tif 000006
【図６】
0006588796.tif 000007
【図７】
0006588796.tif 000008